(57)【要約】【課題】  体を洗うためのタオルにおいて、背中以外の体を洗う時は、長いタオルを丸めたり畳んだりして、ハンディサイズの大きさにして洗っていたが、洗っている最中にタオルがバラケて手から離れて、元の長いタオルに戻ってしまい、使い勝手が悪かった。【解決手段】  長い一枚のタオルに、ハンディサイズでタオル機能を有する材質の収納袋を接続して一体化し、長いタオル部と片手を収納した収納袋を、ハンディサイズのタオルとして使用可能にした。  更に、収納袋の開口部は、長いタオル部と片手が入る大きさとし、残りの開口部は、閉鎖して、開口部を狭めた構造にしたため、長いタオル部が開口部から逸脱しにくくなるとともに、収納袋から手が抜けにくくなり、ハンディサイズのタオルとして使い勝手が良くなった。【選択図】図１
2018007997.tif 000002
【特許請求の範囲】
【請求項１】
長い一枚のタオルの一端に、片手が出し入れ可能なまで開口部を狭めた構造を持つ収納袋を接続したことを特徴とするタオル。
【請求項２】
収納袋の開口部を縫ったり、接着したりすることによって閉鎖部を設け、開口部を狭めたことを特徴とする請求項１に記載のタオル。
【請求項３】
紐を引くと開口部が狭まるように、収納袋の開口部に紐を通した構造とし、開口部の狭め方を可変可能にしたことを特徴とする請求項１に記載のタオル。
【請求項４】
収納袋の開口部をゴム状にして、開口部の狭め方を可変可能にしたことを特徴とする請求項１に記載のタオル。
【請求項５】
収納袋の開口部にマジックテープを設け、開口部の狭め方を可変可能にしたことを特徴とする請求項１に記載のタオル。
【発明の詳細な説明】
【技術分野】
【０００１】  本発明は、体を洗うためのタオルに関するものである。
【背景技術】
【０００２】  従来は、背中以外の体を洗う時は、長いタオルを丸めたり畳んだりして、ハンディサイズの大きさにして洗っていた。
先行技術は、長いタオルを短くするために、横方向に３等分した真ん中の袋状の部分に、両端部を丸めて収納できるようにした。
【先行技術文献】
【特許文献】
【０００３】
【特許文献１】２００１−０４６２７０
【発明の概要】
【発明が解決しようとする課題】
【０００４】  しかしながら、洗っている最中に、袋状の部分に収納した長いタオルがはみ出してきて、最終的にはバラケて長いタオルに戻ってしまうという問題点があった。
【課題を解決するための手段】
【０００５】  そこで、本発明のタオルは、長い一枚のタオルの一端に、片手が出し入れ可能なまで開口部を狭めた構造を持つ収納袋を接続したことを特徴とする。【０００６】  また、本発明のタオルは、上記発明において、収納袋の開口部を縫ったり、接着したりすることによって閉鎖部を設け、開口部を狭めたことを特徴とする。【０００７】  また、本発明のタオルは、上記発明において、紐を引くと収納袋の開口部が狭まる様に、収納袋の開口部に紐を通した構造とし、開口部の狭め方を可変可能にしたことを特徴とする。【０００８】  また、本発明のタオルは、上記発明において、収納袋の開口部をゴム状にして、開口部の狭め方を可変可能にしたことを特徴とする。【０００９】  また、本発明のタオルは、上記発明において、収納袋の開口部にマジックテープを設け、開口部の狭め方を可変可能にしたことを特徴とする。
【発明の効果】
【００１０】  収納袋の開口部を、狭めた構造にしたことにより、収納袋に入れたタオルや片手が、収納袋から抜けにくくなり、収納袋がハンディサイズのタオルとして機能し、体を洗う時に、とても使い易くなった。
【図面の簡単な説明】
【００１１】
【図１】この発明の全体図であるとともに、実施形態Ｉを示す。
【図２】この発明の実施形態ＩＩを示す。
【図３】この発明の実施形態ＩＩＩを示す。
【図４】この発明の実施形態ＩＶを示す。
【図５】この発明の実施形態Ｖを示す。
【発明を実施するための形態】
【００１２】  （実施の形態Ｉ）
本発明の実施形態Ｉを図１に示す。
本発明は、図１に示す長いタオル１−１とタオル機能を有する材質の収納袋１−２とで構成され、長いタオル１−１の一端に、収納袋１−２を縫ったり、接着材で接着したりすることにより、接続部１−３のごとく接続した、タオル１−１と収納袋１−２を一体化したタオルである。
【００１３】  （実施の形態ＩＩ）
本発明の実施形態ＩＩを図２に示す。
本発明は、図２に示す、収納袋２−２の開口部を、縫ったり、接着剤で張り付けたりすることにより、収納袋閉鎖部２−５を設け、収納袋開口部２−４を狭めた構造とする。
収納袋開口部２−４から、長いタオル１−１と手２−７を収納袋２−２に入れることにより、長いタオル１−１が収納袋２−２の中に納まったタオル２−１となり、長いタオル１−１が収納袋２−２の大きさに変化することになり、収納袋２−２の材質がタオル機能を有することにより、簡単にハンディサイズのタオルに変化することを可能にした。
収納袋閉鎖部２−５を設けたことにより、ハンディサイズのタオルとなった収納袋２−２で体を洗っている最中に、収納袋２−２に収納したタオル２−１が収納袋開口部２−４からはみ出しにくくなり、収納袋に収納したタオル２−１がバラケにくくなったとともに、手２−７が収納袋２−２から抜けにくくなった。
【００１４】  （実施の形態ＩＩＩ）
本発明の実施形態ＩＩＩを図３に示す。
本発明は、図３に示す、収納袋開口部３−４に紐３−８を通し、その紐３−８を引くことにより、収納袋開口部３−４が狭まった状態になるように設けられた収納袋３−２である。
収納袋開口部３−４から、長いタオル１−１と手３−７を収納袋３−２に入れることにより、長いタオル１−１が収納袋３−２の中に納まったタオル３−１となり、長いタオル１−１が収納袋３−２の大きさに変化することになり、収納袋３−２の材質がタオル機能を有することにより、簡単にハンディサイズのタオルに変化することを可能にした。
収納袋開口部３−４が紐３−８の締め付けにより狭められているため、ハンディサイズ化したタオルとなった収納袋３−２で体を洗っている最中に、収納袋３−２に収納したタオル３−１が収納袋開口部３−４からはみ出しにくくなり、収納袋に収納したタオル３−１がバラケにくくなったとともに、手３−７が収納袋３−２から抜けにくくなった。
【００１５】  （実施の形態ＩＶ）
本発明の実施形態ＩＶを図４に示す。
本発明は、図４に示す、収納袋開口部４−４にゴムバンド４−９を設け、収納袋開口部４−４の狭め方を可変可能にした収納袋４−２である。
収納袋開口部４−４から、長いタオル１−１と手４−７を収納袋４−２に入れることにより、長いタオル１−１が収納袋４−２の中に納まったタオル４−１となり、長いタオル１−１が収納袋４−２の大きさに変化することになり、収納袋４−２の材質がタオル機能を有することにより、簡単にハンディサイズのタオルに変化することを可能にした。
収納袋開口部４−４がゴムバンド４−９の緊縮性により狭められているため、ハンディサイズ化したタオルとなった収納袋４−２で体を洗っている最中に、収納袋に収納したタオル４−１が収納袋開口部４−４からはみ出しにくくなり、収納袋に収納したタオル４−１がバラケにくくなったとともに、手４−７が収納袋４−２から抜けにくくなった。
【００１６】  （実施の形態Ｖ）
本発明の実施形態Ｖを図５に示す。
本発明は、図５に示す、収納袋開口部５−４にマジックテープ５−１０を設け、収納袋開口部５−４の狭め方を可変可能にした収納袋５−２である。
収納袋開口部５−４から、長いタオル１−１と手５−７を収納袋５−２に入れることにより、長いタオル１−１が収納袋５−２の中に納まったタオル５−１となり、長いタオル１−１が収納袋５−２の大きさに変化することになり、収納袋５−２の材質がタオル機能を有することにより、簡単にハンディサイズのタオルに変化することを可能にした。
収納袋開口部５−４がマジックテープ５−１０により締め付けられることにより、収納袋開口部５−４が狭められているため、ハンディサイズ化したタオルとなった収納袋５−２で体を洗っている最中に、収納袋５−２に収納したタオル５−１が収納袋開口部５−４からはみ出しにくくなり、収納袋に収納したタオル５−１がバラケにくくなったとともに、手５−７が収納袋５−２から抜けにくくなった。
【符号の説明】
【００１７】１−１，２−１，３−１，４−１，５−１      タオル
１−２，２−２，３−２，４−２，５−２      収納袋
１−３                                      接続部
１−４，２−４，３−４，４−４，５−４      収納袋開口部
１−５，２−５                              収納袋閉鎖部
２−６，３−６，４−６，５−６              手首
２−７、３−７，４−７，５−７              手
３−８                                      紐
４−９                                      ゴムバンド
５−１０                                    マジックテープ
【図１】
2018007997.tif 000003
【図２】
2018007997.tif 000004
【図３】
2018007997.tif 000005
【図４】
2018007997.tif 000006
【図５】
2018007997.tif 000007